(57)【要約】【課題】簡単な操作で、リモコンによる不正操作や誤操作を防止する電子機器、プロジェクタおよび電子機器の制御方法を提供する。【解決手段】プロジェクタは、入力操作を受け付ける操作パネルと、リモコンから送信された操作信号を受信する受信部と、制御部とを備える。制御部は、待機状態において、操作パネルによって動作状態に移行させる電源オン操作が行われた場合に、その後に受信部で受信する操作信号を無効にする。【選択図】図３
2009253574.tif 000002
【特許請求の範囲】
【請求項１】
リモコンによる遠隔操作が可能な電子機器であって、
当該電子機器に備えられ、入力操作を受け付ける本体操作部と、
前記リモコンから送信された操作信号を受信する受信部と、
待機状態において、前記本体操作部によって当該電子機器を動作状態に移行させる電源オン操作が行われた場合に、その後に前記受信部で受信する前記操作信号を無効にする制御部と、
を備えることを特徴とする電子機器。
【請求項２】
請求項１に記載の電子機器であって、
前記制御部は、前記受信部で受信した前記操作信号を無効にする状態において、前記本体操作部にて所定の操作が行われた場合に、前記操作信号を有効にすることを特徴とする電子機器。
【請求項３】
請求項１または請求項２に記載の電子機器であって、
前記操作信号を無効にする状態または有効にする状態を示すフラグを記憶する記憶部を有し、
前記制御部は、前記本体操作部および前記リモコンによる前記電源オン操作に基づいて前記フラグを設定し、その後に前記受信部で受信する前記操作信号を前記フラグの状態に対応して無効または有効にすることを特徴とする電子機器。
【請求項４】
請求項１〜請求項３のいずれか一項に記載の電子機器であって、
前記制御部は、当該電子機器を前記動作状態から前記待機状態に移行させる電源オフ操作が行われた場合に、前記操作信号を無効または有効にする状態を保持することを特徴とする電子機器。
【請求項５】
光源から射出された光束を画像情報に応じて変調して画像光を形成し、前記画像光を投写するプロジェクタであって、
当該プロジェクタに備えられ、入力操作を受け付ける本体操作部と、
当該プロジェクタを遠隔操作するためのリモコンから送信された操作信号を受信する受信部と、
前記本体操作部によって当該プロジェクタを動作状態に移行させる電源オン操作が行われた場合に、その後に前記受信部で受信する前記操作信号を無効にする制御部と、
を備えることを特徴とするプロジェクタ。
【請求項６】
入力操作を受け付ける本体操作部を備え、リモコンによる遠隔操作が可能な電子機器の制御方法であって、
前記本体操作部によって当該電子機器を動作状態に移行する電源オン操作が行われた場合に、前記リモコンから送信され、当該電子機器にて受信する操作信号を無効にすることを特徴とする電子機器の制御方法。
【発明の詳細な説明】
【技術分野】
【０００１】
本発明は、リモコンによる遠隔操作が可能な電子機器、プロジェクタ、および電子機器の制御方法に関する。
【背景技術】
【０００２】
従来、外部のリモコンから遠隔操作して使用される電子機器が知られている。その電子機器には、光源からの光束を画像情報に応じて画像光を形成し、その画像光をスクリーン等に投写するプロジェクタがある。プロジェクタは、企業内でのプレゼンテーションや、家庭内での映画鑑賞等の種々の用途に用いられている。そして、プロジェクタは、本体に備えられた操作パネル等の本体操作部およびリモコンによって操作される。
また、プロジェクタは、各種イベント等で近い位置に複数配置して使用される場合があり、特定のプロジェクタを操作するためのリモコン操作によって他のプロジェクタが誤動作してしまうことがある。
そこで、ＩＤ（Identity Document）コードによって、それぞれの電子機器とリモコンとを対応させる技術が提案されている（例えば、特許文献１参照）。
【０００３】
特許文献１の技術は、送受信可能なリモコンによって、電子機器（機器）を遠隔操作する技術であり、リモコンには、表示部が備えられ、電子機器には、ＩＤコードを送信する機能が備えられている。そして、このリモコンから電子機器を遠隔操作する際に、リモコンは、ＩＤコードを送信するよう電子機器に指示を送信する。電子機器は、この指示を受信して機器固有のＩＤコードを送信する。リモコンは、電子機器から送信された機器固有のＩＤコードを受信し、その受信した情報に応じた表示をする。使用者は、その表示に基づいてリモコンを操作して電子機器を遠隔操作する。
【０００４】
【特許文献１】特開２００１−２４５３７１号公報
【発明の開示】
【発明が解決しようとする課題】
【０００５】
しかしながら、特許文献１に記載の技術は、特殊なリモコンを用いるとともに電子機器にＩＤコードを設定する機能と送信機能とが必要なため、複雑な構成となる。また、電子機器にＩＤコードを設定したり、リモコンの表示に基づいて操作する必要があるため、操作が煩雑になるという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係る電子機器は、リモコンによる遠隔操作が可能な電子機器であって、当該電子機器に備えられ、入力操作を受け付ける本体操作部と、前記リモコンから送信された操作信号を受信する受信部と、待機状態において、前記本体操作部によって当該電子機器を動作状態に移行させる電源オン操作が行われた場合に、その後に前記受信部で受信する前記操作信号を無効にする制御部と、を備えることを特徴とする。
【０００８】
ここで、待機状態とは、電子機器へ動作電力の供給が停止された状態、例えば、画像光を投写するプロジェクタがランプを点灯させる電力等の供給が停止された状態で、本体操作部およびリモコンによる電源オン操作を受付可能で低消費電力になった状態をいう。動作状態とは、電子機器へ動作電力が供給された状態、例えば、プロジェクタへランプを点灯させる電力等が供給された状態をいう。
【０００９】
この電子機器によれば、待機状態において、本体操作部にて電源オン操作、例えば電源キーを押圧する操作が行われと、その後にリモコンから送信され、受信部にて受信する操作信号を制御部が無効にするので、電子機器は、リモコンによる操作（リモコン操作）を受け付けない状態となる。
これによって、簡単な操作で、リモコンによる電子機器に対する不正操作や誤操作を防止することが可能となる。また、複数の電子機器を近い位置に配置して使用する場合においても、特定の電子機器を操作するためのリモコン操作によって、他の電子機器を誤動作させないように、リモコン操作を受け付けない状態にすることが容易に可能となる。
【００１０】
［適用例２］上記適用例に係る電子機器において、前記制御部は、前記受信部で受信した前記操作信号を無効にする状態において、前記本体操作部にて所定の操作が行われた場合に、前記操作信号を有効にすることが好ましい。
【００１１】
この電子機器によれば、使用者が本体操作部にて所定の操作、例えば本体操作部に備えられた特定のキーを押圧するだけで、リモコン操作を受け付けない状態から、リモコン操作を受け付ける状態に容易に切り換えることができるので利便性の向上を図ることが可能となる。
【００１２】
［適用例３］上記適用例に係る電子機器において、前記操作信号を無効にする状態または有効にする状態を示すフラグを記憶する記憶部を有し、前記制御部は、前記本体操作部および前記リモコンによる前記電源オン操作に基づいて前記フラグを設定し、その後に前記受信部で受信する前記操作信号を前記フラグの状態に対応して無効または有効にすることが好ましい。
【００１３】
この電子機器によれば、制御部は、本体操作部およびリモコンによる電源オン操作に基づいて、フラグの設定を行い、そのフラグに対応して操作信号を無効または有効にする。これによって、本体操作部およびリモコンによる電源オン操作に応じて、その後のリモコン操作を受け付けるか否かを容易に制御することが可能となる。
【００１４】
［適用例４］上記適用例に係る電子機器において、前記制御部は、当該電子機器を前記動作状態から前記待機状態に移行させる電源オフ操作が行われた場合に、前記操作信号を無効または有効にする状態を保持することが好ましい。
【００１５】
この電子機器によれば、電源オフ操作が行われると、操作信号を無効または有効にする状態が保持される。これによって、動作状態から待機状態に移行させても、リモコン操作を受け付けない状態、あるいはリモコン操作を受け付ける状態を継続できるので、利便性の向上を図ることが可能となる。例えば、リモコン操作を受け付けない状態を継続したい場合、操作信号を無効にする状態で電源オフ操作を行うことで、リモコン操作による不正操作や誤操作を継続して防止することが可能となる。
【００１６】
［適用例５］本適用例に係るプロジェクタは、光源から射出された光束を画像情報に応じて変調して画像光を形成し、前記画像光を投写するプロジェクタであって、当該プロジェクタに備えられ、入力操作を受け付ける本体操作部と、当該プロジェクタを遠隔操作するためのリモコンから送信された操作信号を受信する受信部と、前記本体操作部によって当該プロジェクタを動作状態に移行させる電源オン操作が行われた場合に、その後に前記受信部で受信する前記操作信号を無効にする制御部と、を備えることを特徴とする。
【００１７】
このプロジェクタによれば、本体操作部にて電源オン操作、例えば電源キーを押圧する操作が行われると、その後にリモコンから送信され、受信部にて受信する操作信号を制御部が無効にするので、プロジェクタは、リモコン操作を受け付けない状態となる。
これによって、簡単な操作で、リモコンによるプロジェクタに対する不正操作や誤操作を防止することが可能となる。また、イベント等で複数のプロジェクタを近い位置に配置して使用する場合においても、特定のプロジェクタを操作するためのリモコン操作によって、他のプロジェクタを誤動作させないように、リモコン操作を受け付けない状態にすることが容易に可能となる。
【００１８】
［適用例６］本適用例に係る電子機器の制御方法は、入力操作を受け付ける本体操作部を備え、リモコンによる遠隔操作が可能な電子機器の制御方法であって、前記本体操作部によって当該電子機器を動作状態に移行する電源オン操作が行われた場合に、前記リモコンから送信され、当該電子機器にて受信する操作信号を無効にすることを特徴とする。
【００１９】
この電子機器の制御方法によれば、電子機器は、本体操作部にて電源オン操作が行われた場合に、その後リモコンから送信された操作信号を無効にするので、リモコン操作を受け付けない。これによって、使用者が本体操作部によって電子機器を動作状態に移行させる簡単な操作で、その後リモコンによる電子機器に対する不正操作や誤操作を防止することが可能となる。
【００２０】
また、上述した電子機器およびその制御方法が電子機器に備えられたコンピュータを用いて構築されている場合には、上記形態および上記適用例は、その機能を実現するためのプログラム、あるいは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、電子機器の内部記憶装置（ＲＡＭやＲＯＭ等のメモリ）、および外部記録装置等、前記コンピュータが読み取り可能な種々の媒体を利用することができる。
【発明を実施するための最良の形態】
【００２１】
以下、電子機器の実施形態として、外部の画像出力装置から入力される画像情報に基づく画像光をスクリーン等に投写するプロジェクタについて説明する。本実施形態のプロジェクタは、機器本体に備わる本体操作部によって各種操作が可能であるとともに、リモコンによる遠隔操作も可能になっている。
【００２２】
図１は、本実施形態のプロジェクタの概略構成を示すブロック図である。
図１に示すように、プロジェクタ１は、画像投写部１０、制御部２０、記憶部２１、操作パネル２２、受信部２３、入力端子群２４、入力ソース選択部２５、画像処理部２６、ＯＳＤ処理部２７、電源回路２８、光源制御部２９等を備えている。
【００２３】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等で構成されている。画像投写部１０は、光源１１から射出された光束を、液晶ライトバルブ１２Ｒ，１２Ｇ，１２Ｂで変調して画像光を形成し、この画像光を投写レンズ１３から投写してスクリーンＳＣ等に表示する。
【００２４】
光源１１は、超高圧水銀ランプやメタルハライドランプ等からなる放電型の光源ランプ１１ａと、光源ランプ１１ａが放射した光束を液晶ライトバルブ１２Ｒ，１２Ｇ，１２Ｂ側に反射するリフレクタ１１ｂとを有して構成されている。光源１１から射出された光束は、図示しないインテグレータ光学系によって輝度分布が略均一な光束に変換され、図示しない色分離光学系によって光の３原色である赤（Ｒ）、緑（Ｇ）、青（Ｂ）の各色光成分に分離された後、それぞれ液晶ライトバルブ１２Ｒ，１２Ｇ，１２Ｂに入射する。
【００２５】
液晶ライトバルブ１２Ｒ，１２Ｇ，１２Ｂは、一対の透明基板間に液晶が封入された液晶パネル等によって構成されている。液晶ライトバルブ１２Ｒ，１２Ｇ，１２Ｂには、マトリクス状に配列された複数の画素が形成されており、液晶に対して画素毎に駆動電圧を印加可能になっている。ライトバルブ駆動部１４が、入力される画像情報に応じた駆動電圧を各画素に印加すると、各画素は、画像情報に応じた光透過率に設定される。このため、光源１１から射出された光束は、この液晶ライトバルブ１２Ｒ，１２Ｇ，１２Ｂを通過することによって変調され、画像情報に応じた画像光が形成される。形成された各色の画像光は、図示しない色合成光学系によって画素毎に合成されてカラー画像を表す画像光となった後、投写レンズ１３によってスクリーンＳＣ等に拡大投写される。
【００２６】
制御部２０は、ＣＰＵ（Central Processing Unit）や、各種データ等の一時記憶に用いられるＲＡＭ（Random Access Memory）等を備え、記憶部２１に記憶されている制御プログラムにしたがって動作することによりプロジェクタ１の動作を統括制御する。つまり、制御部２０は、記憶部２１とともにコンピュータとして機能する。
【００２７】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ１の動作を制御するための制御プログラムや、プロジェクタ１の動作条件を規定する各種設定データ等が記憶されている。
【００２８】
操作パネル２２は、プロジェクタ１の本体に備えられ、使用者からの入力操作を受け付ける本体操作部に相当するものであり、使用者がプロジェクタ１に対して各種指示を行うための複数の操作キーを備えている。
図２は、操作パネル２２の外観を示す平面図である。
図２に示すように、操作パネル２２には、その操作キーとして、電源のオン・オフを切り換える電源キー２２１、各種設定を行うメニュー画像を表示させるメニューキー２２２、メニュー画像上での項目の選択等に用いられるカーソルキー２２３、メニュー画像において選択された項目を決定する決定キー２２４、実行中の機能を終了する戻りキー２２５、入力ソースを切り換える入力ソース切換キー２２６、後述するリモコン無効解除キー２２７等がある。使用者が操作パネル２２の各種操作キーを操作すると、操作パネル２２は、その操作内容に応じた操作信号を制御部２０に出力する。
【００２９】
図１に戻って、本実施形態のプロジェクタ１は、前述したように、リモコン４０による遠隔操作も可能になっている。
リモコン４０は、操作パネル２２と同様に、電源のオン・オフを切り換える電源キー４１、各種設定を行うメニュー画像を表示させるメニューキー、入力ソースを切り換える入力ソース切換キー等を備え、各キーに対応した操作信号を赤外線の点滅信号として外部に送信する。
【００３０】
受信部２３は、リモコン４０から送信された操作信号を受信して制御部２０に伝達するものであり、受光装置やデコーダ（いずれも図示せず）等で構成されている。受信部２３は、点滅信号を受光装置によって受光して電気信号に変換した後、デコーダによって復調して制御部２０に出力する。
【００３１】
入力端子群２４は、ビデオ再生装置やパーソナルコンピュータ等、図示しない外部の画像出力装置から、各種形式の画像情報を入力可能な複数の入力端子２４ａを備えている。各入力端子２４ａに入力された画像情報は、入力ソース選択部２５に供給される。
【００３２】
入力ソース選択部２５は、複数の入力端子２４ａのうち、制御部２０の指示に基づく１つの入力端子２４ａを選択し、この入力端子２４ａに入力される画像情報を画像処理部２６に出力する。使用者が、操作パネル２２あるいはリモコン４０に備えられた入力ソース切換キーを操作して所望の入力端子２４ａを指定すると、制御部２０は、この入力端子２４ａに入力されている画像情報が画像処理部２６に出力されるよう、入力ソース選択部２５に指示をする。
【００３３】
画像処理部２６は、入力ソース選択部２５から入力される各種形式の画像情報を、液晶ライトバルブ１２Ｒ，１２Ｇ，１２Ｂの各画素の諧調を表す画像情報、すなわち各画素に印加する駆動電圧を規定するための画像情報に変換する。さらに、制御部２０の指示に基づいて、変換した画像情報に対して、明るさ、コントラスト、シャープネス、色合等を調整するための画像調整処理を行い、処理後の画像情報をＯＳＤ処理部２７に出力する。
【００３４】
ＯＳＤ処理部２７は、制御部２０の指示に基づいて、メニュー画像やメッセージ画像等のＯＳＤ（On Screen Display）画像を、入力画像上に重畳する処理を行う。ＯＳＤ処理部２７は、図示しないＯＳＤメモリを備えており、ＯＳＤ画像を形成する図形やフォント等を表すＯＳＤ画像情報を記憶している。制御部２０がＯＳＤ画像の重畳を指示すると、ＯＳＤ処理部２７は、必要なＯＳＤ画像情報をＯＳＤメモリから読み出し、入力画像の所定の位置にＯＳＤ画像が重畳されるように、画像処理部２６から入力される画像情報にこのＯＳＤ画像情報を合成する。ＯＳＤ画像情報が合成された画像情報は、ライトバルブ駆動部１４に出力される。なお、制御部２０からＯＳＤ画像を重畳する旨の指示がない場合には、ＯＳＤ処理部２７は、画像処理部２６から出力される画像情報をそのままライトバルブ駆動部１４に出力する。
【００３５】
ライトバルブ駆動部１４が、入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像光を形成し、この画像光が投写レンズ１３からスクリーンＳＣに投写される。
【００３６】
電源回路２８には、外部からＡＣ１００Ｖ等の商用電源が供給される。電源回路２８は、商用電源（交流電源）を所定の電圧の直流電源に変換して、プロジェクタ１の各部に電力を供給する。電源回路２８は、商用電源が供給されている間、画像光の投写に必要な電力（動作電力）を各部に供給する状態（動作状態）と、動作電力の供給を停止した状態（待機状態）とが、操作パネル２２の電源キー２２１あるいはリモコン４０の電源キー４１の操作によって切り換えられる。
【００３７】
電源回路２８は、商用電源が供給された直後には、待機状態となっており、電源キー２２１および電源キー４１の操作を受付可能で低消費電力の状態になっている。そして、待機状態において電源キー２２１あるいは電源キー４１が押圧されて電源がオンにされる操作（電源オン操作）が行われると動作状態に移行し、動作状態において電源キー２２１あるいは電源キー４１が押圧されて電源がオフにされる操作（電源オフ操作）が行われると待機状態に移行する。
【００３８】
光源制御部２９は、制御部２０の指示に基づいて、光源１１に対する電力の供給と停止とを制御し、光源１１の点灯および消灯を切り換える。
【００３９】
ここで、プロジェクタ１は、リモコン４０による不正操作や誤操作を防止するために、リモコン４０による操作を受け付けない状態（リモコン無効状態）に設定することが可能になっている。
具体的に、プロジェクタ１は、待機状態において、操作パネル２２によって電源オン操作が行われた場合に、リモコン無効状態となる。そのために、制御部２０は、操作パネル２２およびリモコン４０による電源オン操作に基づいて、受信部２３で受信する操作信号を無効にする状態または有効にする状態を示すフラグ（リモコンフラグ）の設定を行って、記憶部２１に記憶する。そして、制御部２０は、リモコンフラグの状態に対応して、その後に受信部２３で受信する操作信号を無効または有効にする。なお、リモコンフラグは、有効の状態が初期設定されて記憶部２１に記憶されており、この状態でプロジェクタ１は、リモコン４０による操作を受け付ける状態（リモコン有効状態）となっている。
【００４０】
次に、プロジェクタ１の動作について説明する。
プロジェクタ１に商用電源が供給されると、電源回路２８は、制御部２０、記憶部２１、操作パネル２２、受信部２３に電力を供給し、制御部２０は、この電力の供給を受けて、制御プログラムに従った動作を開始する。そして、プロジェクタ１は、制御部２０が操作パネル２２およびリモコン４０のそれぞれの電源キー２２１，４１に対する操作を監視する待機状態となる。
【００４１】
図３、図４は、待機状態におけるプロジェクタ１の動作を説明するフローチャートであり、図３は、操作パネル２２の電源キー２２１が操作された際の動作を示し、図４は、リモコン４０の電源キー４１が操作された際の動作を示す。
【００４２】
図３に示すように、制御部２０は、待機状態において、操作パネル２２の電源キー２２１が操作されたことを検出すると（ステップＳ１０１）、ステップＳ１０２に移行し、リモコンフラグを無効の状態に設定する。これ以降、操作パネル２２において後述する所定の操作が行われるまでの間、受信部２３で受信する操作信号は無効となり、プロジェクタ１は、リモコン無効状態となる。
【００４３】
制御部２０は、ステップＳ１０２を終了するとステップＳ１０３に移行し、電源回路２８に指示をして動作電力の供給を開始させる。そして、制御部２０は、続くステップＳ１０４にて光源制御部２９に指示し、光源１１を点灯させる等の初期動作を行って動作状態に移行させた後、フローを終了する。この結果、画像出力装置から入力される画像情報に基づく入力画像が画像投写部１０から投写される。以降、使用者は、操作パネル２２の様々な操作キーを用いて各種入力操作を行うことができる。
【００４４】
このように、待機状態において、操作パネル２２によって動作状態に移行させる電源オン操作が行われると、制御部２０は、その後に受信部２３で受信する操作信号を無効にし、プロジェクタ１は、リモコン４０による操作を受け付けない状態となる。
【００４５】
図４に示すように、制御部２０は、待機状態において、リモコン４０の電源キー４１が操作されたことを検出すると（ステップＳ２０１）、ステップＳ２０２に移行し、リモコンフラグを読み出す。そして、制御部２０は、続くステップＳ２０３にてリモコンフラグが有効か否かを判断する。
【００４６】
この結果、リモコンフラグが有効の状態を示している場合には、前述したステップＳ１０３，Ｓ１０４とそれぞれ同様のステップＳ２０４，Ｓ２０５を経て、プロジェクタ１は、動作状態に移行する。この状態において、使用者は、操作パネル２２およびリモコン４０の様々な操作キーを用いて各種入力操作を行うことができる。
一方、リモコンフラグが有効の状態を示していない場合、すなわち無効の状態を示している場合には、待機状態のままこのフローを終了する。
【００４７】
このように、待機状態において、リモコン４０によって電源キー４１の操作が行われると、制御部２０は、リモコンフラグの状態に対応して受信部２３で受信する操作信号を無効または有効にする。
【００４８】
ここで、プロジェクタ１は、リモコン無効状態において、操作パネル２２にて所定の操作が行われた場合、リモコン有効状態に切り換えることが可能になっている。その具体的動作について説明する。
図５は、プロジェクタ１をリモコン有効状態に切り換える動作を説明するフローチャートである。
図５に示すように、制御部２０は、動作状態において、リモコン無効解除キー２２７（図２参照）が操作されたことを検出すると（ステップＳ３０１）、ステップＳ３０２に移行し、リモコンフラグを「有効」に設定して動作状態のままこのフローを終了する。以降、使用者は、操作パネル２２およびリモコン４０の様々な操作キーを用いて各種入力操作を行うことができる。
【００４９】
このように、プロジェクタ１は、リモコン無効状態において、リモコン無効解除キー２２７が操作されると、制御部２０が操作信号を有効にし、リモコン有効状態に切り換えられる。
【００５０】
次に、電源オフ操作について説明する。
動作状態から待機状態に移行させる電源オフ操作は、リモコン有効状態の場合には、電源キー２２１，４１の双方の操作によって可能であり、リモコン無効状態の場合には、電源キー２２１の操作のみによって可能である。
制御部２０は、この電源オフ操作が行われる際に、リモコンフラグの状態を保持して記憶部２１に記憶する。具体的に、リモコン有効状態で電源オフ操作が行われると、制御部２０は、リモコンフラグを有効の状態に保持、すなわちリモコン操作を受け付ける状態を保持して待機状態に移行する。そして、リモコン無効状態で電源オフ操作が行われると、制御部２０は、リモコンフラグを無効の状態に保持、すなわちリモコン操作を受け付けない状態を保持して待機状態に移行する。
【００５１】
以上説明したように、本実施形態のプロジェクタ１によれば、以下の効果を得ることができる。
（１）本実施形態のプロジェクタ１によれば、待機状態において、操作パネル２２にて電源オン操作が行われた場合に、制御部２０が操作信号を無効にするので、リモコン操作を受け付けない状態となる。
これによって、簡単な操作で、リモコン４０によるプロジェクタ１に対する不正操作や誤操作を防止することが可能となる。また、複数のプロジェクタ１を近い位置に配置して使用する場合においても、特定のプロジェクタ１を操作するためのリモコン操作によって、他のプロジェクタ１を誤動作させないように、リモコン操作を受け付けない状態にすることが容易に可能となる。
【００５２】
（２）本実施形態のプロジェクタ１によれば、使用者がリモコン無効解除キー２２７を押圧するだけで、リモコン操作を受け付けない状態から、リモコン操作を受け付ける状態に容易に切り換えることができるので利便性の向上を図ることが可能となる。
【００５３】
（３）本実施形態のプロジェクタ１によれば、制御部２０は、操作パネル２２による電源オン操作に基づいて、リモコンフラグの設定を行い、そのリモコンフラグに対応して操作信号を無効または有効にする。これによって、リモコン操作を受け付けるか否かを容易に制御することが可能となる。
【００５４】
（４）本実施形態のプロジェクタ１によれば、電源オフ操作が行われると、操作信号を無効または有効にする状態が保持される。これによって、動作状態から待機状態に移行させても、リモコン無効状態あるいはリモコン有効状態を継続できるので、利便性の向上を図ることが可能となる。例えばリモコン無効状態を継続したい場合、操作信号を無効にする状態で電源オフ操作を行うことで、リモコン操作による不正操作や誤操作を継続して防止することが可能となる。
【００５５】
（変形例）
なお、前記実施形態は、以下のように変更してもよい。
前記実施形態では、リモコン無効解除キー２２７を操作することによって、リモコン無効状態をリモコン有効状態に切り換えているが、操作パネル２２によりメニューを選択して切り換えるようにしてもよい。図６は、メニュー画像の例を示す図である。
図６に示すように、メニュー画像Ｍｐには、タイトル「リモコン無効解除」の下に、「無効解除」、「無効」が縦に並んで表示されている。そして、「リモコン無効解除」を設定することによってプロジェクタ１は、リモコン有効状態に切り換えられる。
また、リモコン無効解除キー２２７を設けず、他のキーを所定時間押圧することによってリモコン有効状態に切り換えるようにしてもよい。
【００５６】
前記実施形態では、電源オフ操作が行われると、制御部２０は、操作信号を無効または有効にする状態を保持するようになっているが、電源オフ操作によってリモコンフラグを有効の状態に設定するようにしてもよい。そして、制御部２０は、操作パネル２２およびリモコン４０による電源オン操作に基づいてリモコンフラグを設定し、リモコンフラグの状態に対応して操作信号を無効または有効にするようにしてもよい。具体的には、操作パネル２２によって電源オン操作が行われた場合には、リモコンフラグを無効の状態に設定してリモコン無効状態にし、リモコン４０によって電源オン操作が行われた場合には、リモコンフラグを有効の状態に設定してリモコン有効状態にしてもよい。
また、電源オフ操作が行われた場合には、操作信号を無効または有効にする状態を保持し、商用電源の供給が停止された場合には、操作信号を有効にするようにしてもよい。
【００５７】
前記実施形態のプロジェクタ１は、光変調装置として透過型の液晶ライトバルブ１２Ｒ，１２Ｇ，１２Ｂを用いているが、反射型の液晶ライトバルブを利用したものであってもよい。また、光変調装置は、マイクロミラーアレイを用いたデバイス等を使用したものであってもよい。
【００５８】
前記実施形態のプロジェクタ１は、光源１１として放電型の光源ランプ１１ａによって構成されているが、ＬＥＤ光源等の固体光源や、その他の光源を用いることもできる。
【００５９】
前記実施形態では、電子機器の例としてプロジェクタ１について説明しているが、本体操作部を備え、リモコンによる操作が可能な電子機器であれば、プロジェクタ以外の画像表示装置（例えば、投写対象面としてのスクリーンを一体で有するリアプロジェクタ、液晶テレビ、プラズマテレビ等）やその他の電子機器にも適用できる。
【図面の簡単な説明】
【００６０】
【図１】本実施形態のプロジェクタの概略構成を示すブロック図。
【図２】操作パネルの外観を示す平面図。
【図３】待機状態において、操作パネルの電源キーが操作された際の動作を示すフローチャート。
【図４】待機状態において、リモコンの電源キーが操作された際の動作を示すフローチャート。
【図５】プロジェクタをリモコン有効状態に切り換える動作を説明するフローチャート。
【図６】変形例のメニュー画像を示す図。
【符号の説明】
【００６１】
１…プロジェクタ、１０…画像投写部、１１…光源、１２Ｒ，１２Ｇ，１２Ｂ…液晶ライトバルブ、１３…投写レンズ、１４…ライトバルブ駆動部、２０…制御部、２１…記憶部、２２…操作パネル、２３…受信部、２４…入力端子群、２４ａ…入力端子、２５…入力ソース選択部、２６…画像処理部、２７…ＯＳＤ処理部、２８…電源回路、２９…光源制御部、４０…リモコン、４１，２２１…電源キー。
【図１】
2009253574.tif 000003
【図２】
2009253574.tif 000004
【図３】
2009253574.tif 000005
【図４】
2009253574.tif 000006
【図５】
2009253574.tif 000007
【図６】
2009253574.tif 000008